(57)【要約】【課題】清掃作業時に残留している雨水を排水するのに時間や手間が掛からない雨水流出抑制施設を提供する。【解決手段】雨水流出抑制施設２４は地中に埋設され、土粒Ｓなどを含む雨水Ｗを受け入れる入水口部１６と、受け入れた雨水Ｗを排水する排水口部２９と、入水口部１６から排水口部２９に雨水Ｗを案内すると共に雨水Ｗに含まれる土粒Ｓなどを沈殿させるＵ字溝３２と、雨水Ｗの貯留空間を形成する樹脂製の隙間形成部材３３を上下及び縦横に多数連結することによって構成されかつＵ字溝３２の上側に設けられてＵ字溝３２から溢れ出た雨水Ｗを受け入れて貯留する雨水貯留部２７と、雨水排水部２７にＵ字溝３２よりも高い位置に設けられたオリフィス管３６とによって構成され、オリフィス管３６より低い位置に残留している雨水Ｗを自動的に排出するために残留雨水排出機構としてのフィルター３４ａと有孔排水管３４と排水層３５とが設けられている。【選択図】図１２
2008138374.tif 000002
【特許請求の範囲】
【請求項１】
土粒などを含む雨水を受け入れる雨水流入部と、
受け入れた雨水を排水する雨水排水部と、
前記雨水流入部から前記雨水排水部に雨水を案内すると共に前記雨水に含まれる土粒などを沈殿させる沈砂溝と、
雨水の貯留空間を形成する樹脂製の貯留空間形成部材を上下及び縦横に多数連結することによって構成されかつ前記沈砂溝の上側に設けられて前記沈砂溝から溢れ出た雨水を受け入れて貯留する雨水貯留部と、
前記雨水排水部に前記沈砂溝よりも高い位置に設けられた排水口と、
によって構成される地中に埋設された雨水流出抑制施設であって、
前記排水口より低い位置に残留している雨水を自動的に排出するための残留雨水排出機構が設けられていることを特徴とする雨水流出抑制施設。
【請求項２】
前記残留雨水排出機構が、
前記雨水排水部に接続されかつ多数の小孔を有する有孔排水管と、
該有孔排水管の周囲に配設された単粒度砕石によって形成される排水層と、
前記雨水排水部に接続されている前記有孔排水管の入水側の開口部に設けられ前記土粒などが前記有孔排水管内に詰まるのを防ぐフィルターと、
によって構成され、
前記排水口より低い位置に残留している雨水を前記有孔排水管を介して前記排水層に徐々に排水することを特徴とする請求項１に記載された雨水流出抑制施設。
【発明の詳細な説明】
【技術分野】
【０００１】
本発明は、雨水流出抑制施設に残留した雨水を排水する残留雨水排出機構に関する。
【背景技術】
【０００２】
従来から図１に示すような雨水流出抑制施設が知られている（例えば、特許文献１など参照）。
【０００３】
図１において、１は公園であり、２は公園１に隣接する道路、２ａは道路２の側溝、３は公園１の地下に埋設されている下水管、４は本従来例の雨水流出抑制施設である。
【０００４】
雨水流出抑制施設４は、特に大雨が降ったときに、側溝２ａなどから流れ込んだ雨水を一時貯留して、貯留された雨水を徐々に下水管３に排水することによって、下流にある下水道施設や河川への負荷を低減させるための施設である。
【０００５】
本従来例の雨水流出抑制施設４は、公園１の地面５に埋設されており、主に入水口部６と、雨水貯留部７と、点検口部８と、排水口部９と、遮水性の樹脂シート１０とによって構成されている。
【０００６】
道路２の側溝２ａには、入水管６ａの一端が接続されており、入水管６ａの他端は入水口部６の上部に接続され、側溝２ａに流れ込んだ雨水が入水口部６に案内されるようになっている。
【０００７】
入水口部６と点検口部８と排水口部９とはマンホールになっており、雨水流出抑制施設４のメンテナンスを行う作業者が、これらの上部に設けられた開口部から出入りできるようになっている。
【０００８】
図２（ａ）は図１のＡ−Ａ断面の断面図、図２（ｂ）は図１のＢ−Ｂ断面の断面図、図２（ｃ）はＣ−Ｃ断面の断面図である。
【０００９】
図２（ａ）に示すように、雨水流出抑制施設４の底部にはコンクリートの基礎１１が設けられている。
【００１０】
基礎１１は溝部１１ａと上面視略長方形状の平坦部１１ｂ，１１ｂとを有しており、溝部１１ａは、図２（ｃ）に示すように、入水口部６と点検口部８との間に略水平に伸び、平坦部１１ｂ，１１ｂは、図２（ａ）に示すように、それぞれ溝部１１ａの両側に水平に広がっている。
【００１１】
基礎１１の上には樹脂シート１０が敷設されており、溝部１１ａの上には樹脂シート１０の上から単粒度砕石が敷かれ、更に、その上から溝部１１ａの伸びる方向に沿ってＵ字溝１２が設置されている。
【００１２】
基礎１１の上には雨水貯留部７が設けられており、雨水貯留部７の側部及び上部は樹脂シート１０によって覆われている。
【００１３】
本従来例の雨水流出抑制施設４では、雨水貯留部７の略全周を遮水性の樹脂シート１０により覆うことによって、雨水貯留部７から雨水が漏れるのを防いで、雨水貯留部７に雨水を貯留するようになっている。
【００１４】
雨水貯留部７は、ポリプロピレン樹脂製の隙間形成部材１３を上下及び縦横に多数連結することによって形成されている。
【００１５】
隙間形成部材１３を構成している傾斜部材１３ａには、水平方向に対して僅かな傾斜が設けられており、この傾斜を利用して雨水の流れの方向を制御するようになっている。
【００１６】
図２（ｃ）に示すように、入水口部６と点検口部８とは、Ｕ字溝１２の流路方向両端縁にそれぞれ位置しており、Ｕ字溝１２は入水口部６から点検口部８に向かうにしたがって僅かに下方に傾斜している。
【００１７】
入水口部６のＵ字溝１２に隣接した側壁の下部には開口部６ｂが設けられ、点検口部８のＵ字溝１２に隣接した側壁の下部には開口部８ａが設けられている。
【００１８】
また、図２（ｂ）に示すように、点検口部８と排水口部９とが当接している側の各側壁８ｄ，９ｃには、それぞれ穴が開けられ、オリフィス管１６が設けられている。
【００１９】
オリフィス管１６は、管の径を入水管６ａに比べて小さくすることによって、雨水の流入量に対して排水量を制限するために設けられている。
【００２０】
本従来例の雨水流出抑制施設４では、Ｕ字溝１２の上端縁の高さより高い位置に、オリフィス管１６が取り付けられている。
【特許文献１】特開２００６−１６９８１４号公報
【発明の開示】
【発明が解決しようとする課題】
【００２１】
本従来例の雨水流出抑制施設４では、オリフィス管１６は、大雨が降った際に、下流にある下水道施設や河川への排水量を制限するために設けられており、雨水流出抑制施設４に流れ込む雨水の流入量がオリフィス管１６の排水量を上回ると、Ｕ字溝１２から溢れ出た雨水が雨水貯留部７内に流れ込み、雨水貯留部７に雨水が一時貯留されて、下水管３への排水量が制限される。
【００２２】
ところで、一般に、砂やゴミなどの土粒は雨水の流路の底部に溜まりやすいので、仮にオリフィス管１６を雨水の流路の底部付近に設けると、入水管６ａに比べて径の小さいオリフィス管１６には、砂やゴミなどの土粒が詰まってしまうおそれがある。
【００２３】
このような土粒の詰まりを回避するために、一般にオリフィス管１６は、雨水の流路の底部から十分に高い位置に設けられている。
【００２４】
しかしながら、オリフィス管１６が雨水の流路の底部から十分に高い位置に設けられていると、雨が止んで雨水貯留部７に貯留されていた雨水が排水された後に、図２（ａ）に示すように、Ｕ字溝１２の底壁１２ａや点検口部８の底壁からオリフィス管１６の高さまで、雨水Ｗが排水されずに残留してしまうという問題があった。
【００２５】
オリフィス管１６の高さまで雨水Ｗが排水されずに残留していると、点検口部８の底部８ｂやＵ字溝１２に沈殿している砂やゴミなどの土粒Ｓが雨水Ｗに沈んでしまい、土粒Ｓが目視確認しにくいため、清掃時には予めポンプなどによって残留している雨水Ｗを排水する必要があった。
【００２６】
このため、従来例の雨水流出抑制施設４では、メンテナンス作業のたびに、図３（ｂ）に示すように、バッキュウムカー（吸引作業車）ＶＣによって、点検口部８の底部８ｂやＵ字溝１２に溜まっている雨水Ｗをポンプなどで組み上げて排水していた。
【００２７】
この溜まっている雨水Ｗの排水には時間を要し、特に大きな施設の場合には排水の作業だけで1日以上かかることもあり、また、雨水が残っていると作業者が作業するのに雨水Ｗの中に足を入れなければならず、作業者がＵ字溝１２に入る場合には進入しにくくなり、清掃作業時に手間がかかるという問題があった。
【００２８】
そこで、本発明では、清掃作業時に残留している雨水を排水するのに時間や手間が掛からない雨水流出抑制施設を提供することを目的としている。
【課題を解決するための手段】
【００２９】
上記目的を達成するために請求項１に記載された発明は、土粒などを含む雨水を受け入れる雨水流入部と、
受け入れた雨水を排水する雨水排水部と、
前記雨水流入部から前記雨水排水部に雨水を案内すると共に前記雨水に含まれる土粒などを沈殿させる沈砂溝と、
雨水の貯留空間を形成する樹脂製の貯留空間形成部材を上下及び縦横に多数連結することによって構成されかつ前記沈砂溝の上側に設けられて前記沈砂溝から溢れ出た雨水を受け入れて貯留する雨水貯留部と、
前記雨水排水部に前記沈砂溝よりも高い位置に設けられた排水口と、
によって構成される地中に埋設された雨水流出抑制施設であって、
前記排水口より低い位置に残留している雨水を自動的に排出するための残留雨水排出機構が設けられている雨水流出抑制施設を特徴としている。
【００３０】
そして、請求項２に記載された発明は、前記残留雨水排出機構が、
前記雨水排水部に接続されかつ多数の小孔を有する有孔排水管と、
該有孔排水管の周囲に配設された単粒度砕石によって形成される排水層と、
前記雨水排水部に接続されている前記有孔排水管の入水側の開口部に設けられ前記土粒などが前記有孔排水管内に詰まるのを防ぐフィルターと、
によって構成され、
前記排水口より低い位置に残留している雨水を前記有孔排水管を介して前記排水層に徐々に排水する請求項１に記載された雨水流出抑制施設を特徴としている。
【発明の効果】
【００３１】
このように構成された本発明の請求項１に記載されたものは、排水口より低い位置に残留している雨水を自動的に排出するための残留雨水排出機構が設けられているので、メンテナンスの際に、沈砂溝に残留していた雨水が排水された状態になっており、沈砂溝の底部に沈殿した砂やゴミなどの土粒を清掃する際に、土粒の状態を目視確認することができ、清掃作業が行い易い。
【００３２】
しかも、メンテナンスの際の清掃作業時に、事前にポンプによって雨水の排水を行わなくてもよいので、メンテナンスの作業効率がよい。
【００３３】
また、メンテナンスの際には、排水は自動的に行われており、作業時間及び作業工程数の削減が図れる。
【００３４】
そして、請求項２に記載されたものは、排水口より低い位置に残留している雨水を有孔排水管を介して単粒度砕石の排水層に徐々に排水するので、メンテナンスの際には、沈砂溝に残留していた雨水が排水された状態になっており、沈砂溝の底部に沈殿した砂やゴミなどの土粒を清掃する際に、土粒の状態を目視確認することができ、清掃作業が行い易い。
【００３５】
しかも、メンテナンスの際の清掃作業時に、事前にポンプのよって雨水の排水を行わなくてもよいので、メンテナンスの作業効率がよい。
【００３６】
また、メンテナンスの際には、排水は自動的に行われており、作業時間及び作業工程数の削減が図れる。
【発明を実施するための最良の形態】
【００３７】
以下、本発明に係る実施の形態を実施例に基づいて説明する。
【実施例】
【００３８】
〈構成〉
図４において、２１は公園であり、２２は公園２１に隣接する道路、２２ａは道路２２の側溝、２３は公園２１の地下に埋設されている下水管、２４は本発明の雨水流出抑制施設である。
【００３９】
雨水流出抑制施設２４は、特に大雨が降ったときに、側溝２２ａなどから流れ込んだ雨水を一時貯留して、貯留された雨水を徐々に下水管２３に排水することによって、下流にある下水道施設や河川への負荷を低減させるための施設である。
【００４０】
本実施例の雨水流出抑制施設２４は、公園２１の地面２５に埋設されており、主に入水口部２６と、雨水貯留部２７と、点検口部２８と、排水口部２９と、遮水性の樹脂シート３０とによって構成されている。
【００４１】
道路２２の側溝２２ａには、入水管２６ａの一端が接続されており、入水管２６ａの他端は入水口部２６の上部に接続され、側溝２２ａに流れ込んだ雨水が入水口部２６に案内されるようになっている。
【００４２】
入水口部２６と点検口部２８と排水口部２９とはマンホールになっており、雨水流出抑制施設２４のメンテナンスを行う作業者が、これらの上部に設けられた開口部から出入りできるようになっている。
【００４３】
図５は雨水流出抑制施設２４の上面図であり、図６は図５のＤ−Ｄ断面の断面図、図７はＥ−Ｅ断面の断面図、図８はＦ−Ｆ断面の断面図である。
【００４４】
なお、図６〜図８において、後述する隙間形成部材３３については、隙間形成部材３３の断面ではなく手前側端面を示している。
【００４５】
図６に示すように、雨水流出抑制施設２４の底部にはコンクリートの基礎３１が設けられている。
【００４６】
基礎３１は溝部３１ａと上面視略長方形状の平坦部３１ｂ，３１ｂとを有しており、溝部３１ａは、図７に示すように、入水口部２６と点検口部２８との間に略水平に伸び、平坦部３１ｂ，３１ｂは、図６に示すように、それぞれ溝部３１ａの両側に水平に広がっている。
【００４７】
基礎３１の上には樹脂シート３０が敷設されており、溝部３１ａの上には樹脂シート３０の上から単粒度砕石が敷かれ、更に、その上から溝部３１ａの伸びる方向に沿ってＵ字溝３２が設置されている。
【００４８】
基礎３１の上には雨水貯留部２７が設けられており、雨水貯留部２７の側部及び上部は樹脂シート３０によって覆われている。
【００４９】
本実施例の雨水流出抑制施設２４では、雨水貯留部２７の略全周を遮水性の樹脂シート３０により覆うことによって、雨水貯留部２７から雨水が漏れるのを防いで、雨水貯留部２７に雨水を貯留するようになっている。
【００５０】
雨水貯留部２７は、図９に示すような隙間形成部材３３を上下及び縦横に多数連結することによって形成されている。
【００５１】
隙間形成部材３３はポリプロピレン樹脂などによって形成されており、傾斜部材３３ａと、隙間部材３３ｂと、連結部材３３ｃと、天板部材３３ｄと、底板部材３３ｅとによって構成されている。
【００５２】
傾斜部材３３ａ同士は直接、傾斜部材３３ａの四隅に設けられた嵌合部を上下に嵌合して連結するか、または、隙間部材３３ｂを介して傾斜部材３３ａの四隅に設けられた嵌合部を上下に嵌合して連結するようになっている。
【００５３】
また、傾斜部材３３ａと天板部材３３ｄとは各嵌合部を連結部材３３ｃによって上下に嵌合して連結し、隙間部材３３ｂと天板部材３３ｄとは各嵌合部を連結部材３３ｃによって上下に嵌合して連結するようになっている。
【００５４】
隙間部材３３ｂの側壁には、係合突起３３ｂＡと係合穴３３ｂＢとが設けられており、水平方向に隣接している隙間部材３３ｂ同士は、係合突起３３ｂＡを係合穴３３ｂＢに係合させることにより連結するようになっている。
【００５５】
傾斜部材３３ａには、水平方向に対して僅かな傾斜が設けられており、この傾斜を利用して雨水の流れの方向を制御するようになっている。
【００５６】
図７に示すように、入水口部２６と点検口部２８とは、Ｕ字溝３２の流路方向両端縁にそれぞれ位置しており、Ｕ字溝３２は入水口部２６から点検口部２８に向かうにしたがって僅かに下方に傾斜している。
【００５７】
入水口部２６のＵ字溝３２に隣接した側壁の下部には開口部２６ｂが設けられ、点検口部２８のＵ字溝３２に隣接した側壁の下部には開口部２８ａが設けられている。
【００５８】
図８に示すように、本実施例の雨水流出抑制施設２４では、点検口部２８の側壁２８ｃの底部に穴が開けられ、この穴に有孔排水管３４の入水側端部が接続されている。
【００５９】
有孔排水管３４は略水平に配設されており、単粒度砕石が敷き詰められた排水層３５に埋設されている。
【００６０】
有孔排水管３４の周壁には、多数の小孔が開けられており、雨水がこれらの小孔から排水されるようになっている。
【００６１】
有孔排水管３４の入水側端部にはフィルター３４ａが設けられ、有孔排水管３４内に砂やゴミなどの土粒が詰まるのを防いでいる。
【００６２】
有孔排水管３４が配設されている高さは、Ｕ字溝３２の底壁３２ａの高さより低い位置になっている。
【００６３】
Ｕ字溝３２は入水口部２６から点検口部２８に向かうにしたがって僅かに下方に傾斜しているので、Ｕ字溝３２の底部３２ａに溜まった雨水は点検口部２８の底部２８ｂに流れ出す。
【００６４】
有孔排水管３４は単粒度砕石が敷き詰められた排水層３５に埋設されているので、この底部２８ｂに流れ出した雨水を徐々に単粒度砕石が敷き詰められた地面に浸透させて排水するようになっている。
【００６５】
また、図８に示すように、点検口部２８と排水口部２９とが当接している側の各側壁２８ｄ，２９ｃには、それぞれ穴が開けられ、オリフィス管３６が設けられている。
【００６６】
オリフィス管３６は、管の径を入水管２６ａに比べて小さくすることによって、雨水の流入量に対して排水量を制限するために設けられている。
【００６７】
本実施例の雨水流出抑制施設２４では、Ｕ字溝３２の上端縁の高さより高い位置に、オリフィス管３６が取り付けられている。
〈雨水の流れについて〉
降雨量が少なく、入水管２６ａからの雨水の流入量がオリフィス管３６の排水流量より少ない場合には、図１０（ａ）に示すように、入水管２６ａから入水口部２６に流入した雨水Ｗは、一旦、入水口部２６の底部２６ｃに溜まり、水位がＵ字溝３２の底部３２ａを超えるとＵ字溝３２内を流れて、点検口部２８の底部２８ｂに流れ出し、底部２８ｂに溜まる。
【００６８】
図１０（ｂ）に示すように、雨水Ｗの水位がオリフィス管３６の高さを上回ると、雨水Ｗは、オリフィス管３６を介して排水口部２９に流れ出し、排水口部２９の底部２９ｂに設けられた排水管２９ａを介して下水管２３に排水される。
【００６９】
このように、入水管２６ａからの雨水の流入量がオリフィス管３６の排水流量より少ない場合に、雨水の流れを雨水流出抑制施設２４の上方から見ると、図１０（ｃ）の矢印に示すようになる。
【００７０】
一方、降雨量が多く、入水管２６ａからの雨水の流入量がオリフィス管３６の排水流量より多い場合には、入水管２６ａから入水口部２６に流入した雨水は、一旦、入水口部２６の底部２６ｃに溜まり、水位がＵ字溝３２の底部３２ａを超えるとＵ字溝３２内を流れて、点検口部２８の底部２８ｂに溜まる。
【００７１】
入水管２６ａからの雨水の流入量がオリフィス管３６の排水流量より多いので、しばらくすると雨水の水位がオリフィス管３６の高さを上回り、雨水の水位はオリフィス管３６を超えて上昇し、図１１（ａ）に示すように、Ｕ字溝３２から溢れた雨水Ｗは、隙間形成部材３３の隙間に入り込み、雨水貯留部２７内に一時貯留されて、下水管２３への排水量が制限される。
【００７２】
図１１（ｂ）に示すように、雨が止むと、雨水流出抑制施設２４内に蓄積されていた雨水Ｗは、オリフィス管３６を介して排水口部２９に流れ出し、排水口部２９の底部２９ｂに設けられた排水管２９ａを介して下水管２３に排水される。
【００７３】
この際、雨水貯留部２７の隙間形成部材３３を構成している傾斜部材３４ａの傾き方向が、雨水を中央のＵ字溝３２に集中させるように設定されているので、雨水貯留部２７内に蓄積された雨水ＷはＵ字溝３２に流れ込み、Ｕ字溝３２に流れ込んだ雨水Ｗは点検口部２８の開口部２８ａを通って点検口部２８に流れる。
【００７４】
そして、雨水Ｗは、オリフィス管３６を介して、排水口部２９の底部２９ｂに溜まり、排水管２９ａを介して下水管２３に排水される。
【００７５】
このように、入水管２６ａからの雨水の流入量がオリフィス管３６の排水流量より多い場合に、一旦、雨水が雨水流出抑制施設２４に蓄積され、雨が止んで、雨水が排水される際に、雨水の流れを雨水流出抑制施設２４の上方から見ると、図１１（ｃ）の矢印に示すようになる。
【００７６】
本実施例の雨水流出抑制施設２４では、蓄積された雨水Ｗが排水される時に、雨水Ｗが中央のＵ字溝３２に集中するようになっており、雨水Ｗに混入した砂やゴミなどの土粒ＳがＵ字溝３２の底壁３２ａや点検口部２８の底部２８ｂに溜まるようになっている。
【００７７】
図１２（ａ）または図１２（ｂ）に示すように、オリフィス管３６より低い位置にある雨水Ｗは、すぐには排水されずに残留するが、図１２（ｂ）に示すように、しばらくすると有孔排管３４を介して排水層３５に排水されて、図１３（ａ）に示すように、Ｕ字溝３２の雨水は排水される。
〈メンテナンス方法〉
清掃作業を含むメンテナンスは、一般に、大雨の直後には行われないので、雨水流出抑制施設２４のメンテナンス作業を行う際には、Ｕ字溝３２の雨水は排水されており、作業者が点検口部２８の上部の開口部から入って、Ｕ字溝３２の底部３２ａに溜まっている砂やゴミなどの土粒Ｓを、図１３（ｂ）に示すように、バッキュウムカー（吸引作業車）ＶＣのポンプによって吸引して清掃する。
【００７８】
〈作用効果〉
オリフィス管３６より低い位置に残留している雨水Ｗを有孔排水管３４を介して単粒度砕石の排水層３５に徐々に排水するので、メンテナンスの際には、Ｕ字溝３２に残留していた雨水Ｗが排水された状態になっており、Ｕ字溝３２の底壁３２ａに沈殿した砂やゴミなどの土粒Ｓを清掃する際に、土粒Ｓの状態を目視確認することができ、清掃作業が行い易い。
【００７９】
しかも、メンテナンスの際の清掃作業時に、事前にポンプのよって雨水Ｗの排水を行わなくてもよいので、メンテナンスの作業効率がよい。
【００８０】
また、メンテナンスの際には、排水は自動的に行われており、作業時間及び作業工程数の削減が図れる。
【００８１】
以上、図面を参照して、本発明の最良の実施の形態を詳述してきたが、具体的な構成は、この実施の形態に限らず本発明の要旨を逸脱しない程度の設計的変更は本発明に含まれる。
【００８２】
なお、本実施例では、雨水流出抑制施設２４を公園２１の地下に設置したが、設置場所は公園２１の地下に限るものではない。例えば、グラウンドの地下や駐車場の地下であってもよい。
【００８３】
また、本実施例では、道路２２の側溝２２ａから雨水が流入する場合を説明したが、雨水の流入源は必ずしも道路２２の側溝２２ａである必要はない。例えば、建物に設けられた雨水の排水管から流入するものであってもよい。
【００８４】
そして、本実施例では、樹脂シート３０に遮水性のものを用いたが、水を徐々に浸透し、土壌中に排水する透水性のものを用いてもよい。
【００８５】
また、本実施例では、有孔排水管３４を用いて雨水を地中に排水したが、Ｕ字溝３２を樹脂シート３０で覆わずに、Ｕ字溝３２自体に、透水性を有する浸透Ｕ字溝か、または、小孔が設けられた有孔Ｕ字溝を用いてもよい。
【００８６】
或いは、Ｕ字溝３２を用いずに砕石によって沈砂溝を形成してもよいし、点検口部２８の底部２８ｂを浸透性のものによって構成してもよい。
【００８７】
更に、本実施例では、有孔排水管３４が点検口部２８に設けられていたが、Ｕ字溝３２に設けられていてもよい。
【００８８】
また、本実施例では、排水口としてオリフィス管３６が用いられたが、沈砂溝（Ｕ字溝３２）よりも高い位置に設けられていれば、必ずしもオリフィス管である必要はない。例えば、点検口部２８に直接下水管２３へ繋がる排水管を設けた場合には、この排水管の取り付け口を排水口としてもよい。
【００８９】
そして、雨水を自動的に排水する残留雨水排出機構としては、雨が止んだ後に雨が止んだことを検知して、自動的にポンプなどを駆動して強制的に排水するものであってもよい。
【図面の簡単な説明】
【００９０】
【図１】従来例の雨水流出抑制施設の斜視図である。
【図２】従来例の雨水流出抑制施設の断面図であり、（ａ）は図１のＡ−Ａ断面の断面図、（ｂ）は図１のＢ−Ｂ断面の断面図、（ｃ）は図１のＣ−Ｃ断面の断面図である。
【図３】従来例の雨水流出抑制施設の問題点を説明する断面図であり、（ａ）は図１のＢ−Ｂ断面の断面図、（ｂ）は図１のＣ−Ｃ断面の断面図である。雨水がオリフィス管から排水された後にＵ字溝と点検口の底部とに残留している状態を表している。
【図４】本実施例の雨水流出抑制施設の斜視図である。
【図５】本実施例の雨水流出抑制施設の上面図である。
【図６】本実施例の雨水流出抑制施設の断面図であり、図５のＤ−Ｄ断面の断面図である。
【図７】本実施例の雨水流出抑制施設の断面図であり、図５のＥ−Ｅ断面の断面図である。
【図８】本実施例の雨水流出抑制施設の断面図であり、図５のＦ−Ｆ断面の断面図である。
【図９】本実施例に係る隙間形成部材の斜視図である。
【図１０】本実施例の雨水流出抑制施設において、流入雨量が比較的少ない場合の雨水の流れを説明した図であり、（ａ）は図５のＥ−Ｅ断面の断面図、（ｂ）は図５のＦ−Ｆ断面の断面図、（ｃ）は雨水流出抑制施設の上面図である。
【図１１】本実施例の雨水流出抑制施設において、雨水貯留部に貯留されていた雨水が排水される場合の雨水の流れを説明した図であり、（ａ）は図５のＥ−Ｅ断面の断面図、（ｂ）は図５のＦ−Ｆ断面の断面図、（ｃ）は雨水流出抑制施設の上面図である。
【図１２】本実施例の雨水流出抑制施設の作用効果を説明する断面図であり、（ａ）は図５のＥ−Ｅ断面の断面図、（ｂ）は図５のＦ−Ｆ断面の断面図である。雨水がオリフィス管から排水された後にＵ字溝と点検口の底部とに残留している状態を表している。
【図１３】本実施例の雨水流出抑制施設の作用効果を説明する断面図であり、（ａ）は図５のＦ−Ｆ断面の断面図、（ｂ）は図５のＥ−Ｅ断面の断面図である。Ｕ字溝と点検口の底部とに残留している雨水が有効排水管から排水された状態を表している。
【符号の説明】
【００９１】
２７                            雨水貯留部
２４                            雨水流出抑制施設
２６                            入水口部（雨水流入部）
２９                            排水口部（雨水排水部）
３２                            Ｕ字溝（沈砂溝）
３３                            隙間形成部材（貯留空間形成部材）
３４                            有孔排水管（残留雨水排出機構）
３４ａ                          開口部（残留雨水排出機構）
３４ｂ                          フィルター（残留雨水排出機構）
３５                            排水層（残留雨水排出機構）
３６                            オリフィス管（排水口）
Ｓ                              土粒
Ｗ                              雨水
【図１】
2008138374.tif 000003
【図２】
2008138374.tif 000004
【図３】
2008138374.tif 000005
【図４】
2008138374.tif 000006
【図５】
2008138374.tif 000007
【図６】
2008138374.tif 000008
【図７】
2008138374.tif 000009
【図８】
2008138374.tif 000010
【図９】
2008138374.tif 000011
【図１０】
2008138374.tif 000012
【図１１】
2008138374.tif 000013
【図１２】
2008138374.tif 000014
【図１３】
2008138374.tif 000015